【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
第１回転軸を中心として回転される第１回転体と、
前記第１回転軸とは異なる方向に延びる第２回転軸を中心として回転される円環状をなす第２回転体と、
前記第２回転体の内周部から前記第１回転体の外周部にかけて延びる仕切壁とを備え、
前記第１回転体に供給された薬剤が、前記第１回転体の回転により前記第２回転体の移動部に乗り移り、この第２回転体の回転により乗り移った薬剤を回転方向下流側に移送するようにし、
更に、前記第２回転体の径方向外側に設けた薬剤排出口と、
前記第２回転体の移動部より薬剤移送方向下流側に設けられ、前記第２回転体上の薬剤を前記薬剤排出口に案内する薬剤案内部とを備え、
前記第１回転体は前記第２回転体に接近し離隔するように昇降可能であることを特徴とする薬剤供給装置。
【請求項２】
前記薬剤案内部は、前記第２回転体の内周部から前記薬剤排出口にかけて延びる内側ガイドと、前記内側ガイドに対して前記第２回転体の径方向外側に薬剤幅と略同一間隔をあけて位置する外側ガイドとを有することを特徴とする請求項１に記載の薬剤供給装置。
【請求項３】
前記第１回転体は前記第２回転体の第２回転軸に平行に移動可能であることを特徴とする請求項１または請求項２に記載の薬剤供給装置。
【請求項４】
前記第１回転体は該第１回転体の第１回転軸に平行に移動可能であることを特徴とする請求項１または請求項２に記載の薬剤供給装置。
【請求項５】
前記第１回転体は、円弧に沿って移動可能であることを特徴とする請求項１または請求項２に記載の薬剤供給装置。
【請求項６】
前記第２回転体上を移送される薬剤を検出する薬剤検出手段を設け、
前記薬剤検出手段が前記第２回転体上を移送される薬剤を検出しなければ、前記薬剤検出手段が前記第２回転体上を移送される薬剤を検出するまで、前記第１回転体を前記第２回転体に接近するように上昇移動させることを特徴とする請求項１から５のいずれかに記載の薬剤供給装置。
【手続補正２】
【補正対象書類名】明細書
【補正対象項目名】発明の名称
【補正方法】変更
【補正の内容】
【発明の名称】薬剤供給装置
【手続補正３】
【補正対象書類名】明細書
【補正対象項目名】０００１
【補正方法】変更
【補正の内容】
【０００１】
本発明は、形状や大きさが異なる錠剤やカプセル剤などの薬剤を１個ずつ供給可能な薬剤供給装置に関する。
【手続補正４】
【補正対象書類名】明細書
【補正対象項目名】０００８
【補正方法】変更
【補正の内容】
【０００８】
本発明では、割れ欠けを生じさせることなく、形状や大きさが異なる薬剤を１個ずつ確実に供給可能な薬剤供給装置を提供することを課題とする。
【手続補正５】
【補正対象書類名】明細書
【補正対象項目名】０００９
【補正方法】変更
【補正の内容】
【０００９】
前記課題を解決するため、本発明の薬剤供給装置は、第１回転軸を中心として回転される第１回転体と、前記第１回転軸とは異なる方向に延びる第２回転軸を中心として回転される円環状をなす第２回転体と、前記第２回転体の内周部から前記第１回転体の外周部にかけて延びる仕切壁とを備え、前記第１回転体に供給された薬剤が、前記第１回転体の回転により前記第２回転体の移動部に乗り移り、この第２回転体の回転により乗り移った薬剤を回転方向下流側に移送するようにし、更に、前記第２回転体の径方向外側に設けた薬剤排出口と、前記第２回転体の移動部より薬剤移送方向下流側に設けられ、前記第２回転体上の薬剤を前記薬剤排出口に案内する薬剤案内部とを備え、前記第１回転体は前記第２回転体に接近し離隔するように昇降可能としている。
ここで、第１回転軸とは異なる方向に延びる第２回転軸とは、第１回転軸と２回転軸とが平行でなく、同一でないことを意味する。
【手続補正６】
【補正対象書類名】明細書
【補正対象項目名】００１０
【補正方法】変更
【補正の内容】
【００１０】
この薬剤供給装置は、第１回転体の回転により、第２回転体との段差が小さい移動部から第２回転体上に薬剤が移動する。この際、第２回転体に乗り移る薬剤が多い場合は、第１回転体を下方に移動させ、第１回転体上で薬剤が塊になって移動部に移動して薬剤の塊の最上部の薬剤を第２回転体に乗り移らせる。薬剤が少なくなり、第２回転体上の薬剤が無くなると、第１回転体を第２回転体に近づくように上方に移動させ、第１回転体から第２回転体に薬剤が移動しやすくする。そして、第２回転体上に乗り移った薬剤は、薬剤案内部を通って薬剤排出口から外部へ排出される。また、第２回転体によって移動させる薬剤は、薬剤案内部で堰き止めるのではなく、第１および第２回転体の段差を利用して第１回転体上に落とされる。そのため、詰まりの発生を確実に防止できる。しかも、多数の薬剤が衝突し合うことを防止できるため、薬剤の割れ欠けの発生を確実に防止できる。
【手続補正７】
【補正対象書類名】明細書
【補正対象項目名】００１１
【補正方法】変更
【補正の内容】
【００１１】
前記薬剤案内部は、前記第２回転体の内周部から前記薬剤排出口にかけて延びる内側ガイドと、前記内側ガイドに対して前記第２回転体の径方向外側に薬剤幅と略同一間隔をあけて位置する外側ガイドとを有する。このようにすれば、一対のガイドからなる薬剤案内部を通って薬剤が１個ずつ薬剤排出口へ供給される。この際、２個以上の薬剤が一緒に薬剤案内部の入口に供給された場合、第２回転体の内周部の側に位置する薬剤は、内側ガイドに当接して第２回転体の内周部から第１回転体上に落下される。
【手続補正８】
【補正対象書類名】明細書
【補正対象項目名】００１２
【補正方法】変更
【補正の内容】
【００１２】
前記第１回転体は、前記第２回転体の第２回転軸に平行に移動可能であることが好ましい。
【手続補正９】
【補正対象書類名】明細書
【補正対象項目名】００１３
【補正方法】変更
【補正の内容】
【００１３】
または、前記第１回転体は、該第１回転体の第１回転軸に平行に移動可能であることが好ましい。
【手続補正１０】
【補正対象書類名】明細書
【補正対象項目名】００１４
【補正方法】変更
【補正の内容】
【００１４】
または、前記第１回転体は、円弧に沿って移動可能であることが好ましい。
【手続補正１１】
【補正対象書類名】明細書
【補正対象項目名】００１５
【補正方法】変更
【補正の内容】
【００１５】
また、前記第２回転体上を移送される薬剤を検出する薬剤検出手段を設け、前記薬剤検出手段が前記第２回転体上を移送される薬剤を検出しなければ、前記薬剤検出手段が前記第２回転体上を移送される薬剤を検出するまで、前記第１回転体を前記第２回転体に接近するように上昇移動させることが好ましい。
【手続補正１２】
【補正対象書類名】明細書
【補正対象項目名】００１６
【補正方法】変更
【補正の内容】
【００１６】
本発明の薬剤供給装置では、第２回転体によって移動させる薬剤を薬剤案内部で堰き止めるのではなく、第１および第２回転体の段差を利用して第１回転体上に落とす構成であるため、詰まりの発生を確実に防止できる。しかも、多数の薬剤が衝突し合うことを防止できるため、薬剤の割れ欠けの発生を確実に防止できる。
【手続補正１３】
【補正対象書類名】明細書
【補正対象項目名】００１７
【補正方法】変更
【補正の内容】
【００１７】
また、前記第１回転体を前記第２回転体に接近し離隔するように昇降可能としているため、第２回転体に乗り移る薬剤の量を調整できる。よって、薬剤の割れ欠けの発生を確実に防止できる。